(57)【要約】【課題】  異常の発生後に、素早く排水用配管の負圧を解消することのできる水循環装置における停止装置を提供すること。【解決手段】  流水プール１１の排水口１１ａから延びる排水用配管２３と、排水用配管２３に循環ポンプ２１を介して接続され流水プール１１の水供給口１１ｂに延びる水供給用配管２４との間に電動弁２９を備えたバイパス配管２８を設けた。そして、管理棟１７に、循環ポンプ２１の作動を停止させるとともに、電動弁２９を作動させるための停止スイッチ３３を設けた。また、排水用配管２３内の圧力を検出するための負圧検出計２６と、排水用配管２３内を通過する水の流量を検出するための流量計２５を設けた。そして、負圧検出計２６または流量計２５の検出値が所定値になったときに警報機が警報を発するようにした。【選択図】  図３
2008121362.tif 000002
【特許請求の範囲】
【請求項１】
プールに設けられた排水口から前記プールの外部に延びる排水用配管と、前記排水用配管に連通し前記排水用配管から前記プールに設けられた水供給口に延びる水供給用配管と、前記排水用配管と前記水供給用配管との間に設置され、制御装置の制御により作動して前記排水口から前記排水用配管を介して前記プール内の水を吸引するとともに、その水を前記水供給用配管を介して前記水供給口から前記プール内に戻す循環ポンプとを備えた水循環装置における停止装置であって、
前記排水用配管の中間部分と前記水供給用配管の中間部分とを結ぶバイパス配管と、前記バイパス配管を開閉する電動弁と、前記電動弁を作動させる停止スイッチとを備えたことを特徴とする水循環装置における停止装置。
【請求項２】
前記停止スイッチと前記制御装置とが連動するように構成して、前記停止スイッチをオン操作することにより、前記循環ポンプの作動が停止するとともに、前記電動弁が開いて前記排水用配管と前記水供給用配管との間が連通するようにした請求項１に記載の水循環装置における停止装置。
【請求項３】
プールに設けられた排水口から前記プールの外部に延びる排水用配管と、前記排水用配管に連通し前記排水用配管から前記プールに設けられた水供給口に延びる水供給用配管と、前記排水用配管と前記水供給用配管との間に設置され、制御装置の制御により作動して前記排水口から前記排水用配管を介して前記プール内の水を吸引するとともに、その水を前記水供給用配管を介して前記水供給口から前記プール内に戻す循環ポンプとを備えた水循環装置における停止装置であって、
前記排水用配管の中間部分と大気中との間を結ぶ開放配管と、前記開放配管を開閉する電動弁と、前記電動弁を作動させる停止スイッチとを備えたことを特徴とする水循環装置における停止装置。
【請求項４】
前記停止スイッチと前記制御装置とが連動するように構成して、前記停止スイッチをオン操作することにより、前記循環ポンプの作動が停止するとともに、前記電動弁が開いて前記排水用配管と大気中との間が連通するようにした請求項３に記載の水循環装置における停止装置。
【請求項５】
前記排水用配管、前記水供給用配管または前記循環ポンプに内部を通過する水を濾過する濾過手段を設けた請求項１ないし４のうちのいずれか一つに記載の水循環装置における停止装置。
【請求項６】
前記排水用配管内の圧力を検出するための圧力検出計を設けた請求項１ないし５のうちのいずれか一つに記載の水循環装置における停止装置。
【請求項７】
前記排水用配管内を通過する水の流量を検出するための流量計を設けた請求項１ないし６のうちのいずれか一つに記載の水循環装置における停止装置。
【請求項８】
前記圧力検出計の検出値が所定の負圧になったとき、または前記流量計の検出値が所定値以下になったときに警報を発する警報機を設けた請求項６または７に記載の水循環装置における停止装置。
【請求項９】
前記プールの近傍に、前記プールを監視するための管理棟を設け、前記制御装置および前記停止スイッチを前記管理棟に設置した請求項１ないし８のうちのいずれか一つに記載の水循環装置における停止装置。
【発明の詳細な説明】
【技術分野】
【０００１】
本発明は、プール内の水を排水口から排出したのちに水供給口から戻して循環させるための水循環装置における停止装置に関する。
【背景技術】
【０００２】
従来においては、プールの水を取り換える際には、プールの水を抜き取ったのちに、新たな水を供給することが行われていたが、近年では、プールの側面部または底部に、プール内の水を外部に排水するための排水口と、その排水を濾過したのちにプール内に戻すための水供給口を設けて、その排水を循環ポンプの作動によって循環させながら濾過手段によって濾過するプールが利用されている。また、循環ポンプで水を循環させることによりプール内に水流を発生させるプールも利用されている。
【０００３】
このような循環ポンプを用いたプールでは、利用者が遊泳中であっても循環ポンプを作動させるため、排水口に、利用者、特に体の小さな子供が近づくと排水の勢いによって排水口に体が引き込まれることがある。このようなことを防止するために、異常時に循環ポンプの作動を停止させる危険防止システムを備えたプールも開発されている（例えば、特許文献１参照）。
【０００４】
このプールでは、排水口に、複数の孔が設けられた透水性カバーを取り付けるとともに、透水性カバーの背面にロードセルを有するセンサを取り付けている。そして、このセンサはケーブルを介して、循環ポンプ、緊急遮断弁および警報手段等の危険防止手段を制御する制御回路に接続されている。このため、排水口に人体が吸い込まれて負圧により透水カバーに押し当てられると、センサが検出する荷重の値が上昇する。この荷重の値の上昇により制御回路が、循環ポンプを停止させるとともに、緊急遮断弁を閉鎖させて水の流れを停止させる。また、警報手段による警報を発して異常が生じていることを周囲の人に知らせるようにしている。これによって、人体は、排水口への吸い込み力から解放されたり監視員によって救助されたりする。
【特許文献１】特開２００１−７３５７６号公報
【発明の開示】
【０００５】
しかしながら、前述した従来のプールのように循環ポンプで排水口から給水口まで水を循環させるプールでは、循環ポンプの作動を停止するとともに、緊急遮断弁を閉鎖しても、排水口と循環ポンプとの間を結ぶ配管内の負圧は瞬時には解消されず、しばらくはその配管内は負圧の状態に維持される。このため、その負圧状態が維持される間、人体は排水口に吸い込まれる状態が続いてしまう。
【０００６】
本発明は、前述した問題に対処するためになされたもので、その目的は、異常の発生後に、素早く排水用配管内の負圧を解消することのできる水循環装置における停止装置を提供することである。
【０００７】
前述した目的を達成するため、本発明に係る水循環装置における停止装置の構成上の特徴は、プールに設けられた排水口からプールの外部に延びる排水用配管と、排水用配管に連通し排水用配管からプールに設けられた水供給口に延びる水供給用配管と、排水用配管と水供給用配管との間に設置され、制御装置の制御により作動して排水口から排水用配管を介してプール内の水を吸引するとともに、その水を水供給用配管を介して水供給口からプール内に戻す循環ポンプとを備えた水循環装置における停止装置であって、排水用配管の中間部分と水供給用配管の中間部分とを結ぶバイパス配管と、バイパス配管を開閉する電動弁と、電動弁を作動させる停止スイッチとを備えたことにある。
【０００８】
前述したように構成した本発明の水循環装置における停止装置では、排水用配管の中間部分と水供給用配管の中間部分との間に、開閉式の電動弁を備えたバイパス配管が設けられている。そして、電動弁を作動させることによりバイパス配管を開ける停止スイッチも設けられている。このため、循環ポンプの作動中に、プールの排水口に遊泳者が吸い込まれそうになった場合には、制御装置を操作することにより循環ポンプの作動を停止させるとともに、停止スイッチをオン操作して電動弁を作動させ、バイパス配管を排水用配管と水供給用配管とに連通させる。
【０００９】
これによって、循環ポンプの作動による水の流れが停止するとともに、水供給用配管の水が、バイパス配管を介して負圧状態になっている排水用配管に流れ、排水用配管内の負圧が素早く解消される。なお、排水用配管の中間部分とは、排水用配管における排水口と循環ポンプとの間の中央側部分だけでなくいずれの部分も含むものであり、同様に、水供給用配管の中間部分とは、循環ポンプと水供給口との間の中央側部分だけでなくいずれの部分も含むものであるとする。
【００１０】
また、本発明に係る水循環装置における停止装置の他の構成上の特徴は、停止スイッチと制御装置とが連動するように構成して、停止スイッチをオン操作することにより、循環ポンプの作動が停止するとともに、電動弁が開いて排水用配管と水供給用配管との間が連通するようにしたことにある。これによると、停止スイッチをオン操作するだけで、循環ポンプの作動を停止させ、電動弁を作動させることができるため、操作が簡単になるとともに、素早い処置を行える。
【００１１】
また、本発明に係る水循環装置における停止装置のさらに他の構成上の特徴は、プールに設けられた排水口からプールの外部に延びる排水用配管と、排水用配管に連通し排水用配管からプールに設けられた水供給口に延びる水供給用配管と、排水用配管と水供給用配管との間に設置され、制御装置の制御により作動して排水口から排水用配管を介してプール内の水を吸引するとともに、その水を水供給用配管を介して水供給口からプール内に戻す循環ポンプとを備えた水循環装置における停止装置であって、排水用配管の中間部分と大気中との間を結ぶ開放配管と、開放配管を開閉する電動弁と、電動弁を作動させる停止スイッチとを備えたことにある。
【００１２】
このように構成した水循環装置における停止装置では、排水用配管の中間部分と大気中との間に、開閉式の電動弁を備えた開放配管が設けられている。そして、電動弁を作動させることにより開放配管を開ける停止スイッチも設けられている。このため、循環ポンプの作動中に、プールの排水口に遊泳者が吸い込まれそうになった場合には、制御装置を操作することにより循環ポンプの作動を停止させるとともに、停止スイッチをオン操作して電動弁を作動させて開放配管を排水用配管と大気中とに連通させる。これによって、循環ポンプの作動による水の流れが停止するとともに、排水用配管内の水が開放配管を介して大気中に放出され、排水用配管内の負圧が素早く解消される。これによって、事故の発生を防止することができる。この場合、開放配管は、排水口の近傍に設けることが好ましい。
【００１３】
また、本発明に係る水循環装置における停止装置のさらに他の構成上の特徴は、停止スイッチと制御装置とが連動するように構成して、停止スイッチをオン操作することにより、循環ポンプの作動が停止するとともに、電動弁が開いて排水用配管と大気中との間が連通するようにしたことにある。これによると、停止スイッチをオン操作するだけで、循環ポンプの作動を停止させ、電動弁を作動させることができるため、操作が簡単になるとともに、素早い処置を行える。
【００１４】
また、本発明に係る水循環装置における停止装置のさらに他の構成上の特徴は、排水用配管、水供給用配管または循環ポンプに内部を通過する水を濾過する濾過手段を設けたことにある。これによると、プール内の水を排水用配管と水供給用配管とを介して循環させながら濾過して浄水することができる。このため、プールを利用しながら、水の取り換えができ、プールの効率のよい使用が可能になる。
【００１５】
また、本発明に係る水循環装置における停止装置のさらに他の構成上の特徴は、排水用配管内の圧力を検出するための圧力検出計を設けたことにある。これによると、圧力検出計の検出値が所定の負圧以上の負圧に（マイナス側に大きく）なったときに、排水口に遊泳者が吸い込まれていることが分かる。すなわち、排水口に遊泳者が吸い込まれると、排水口の面積が小さくなるため、循環ポンプによって吸引される力が大きくなる。これによって、プールの排水口を直接見ることなく排水口に遊泳者が吸い込まれていることを知ることができる。また、この圧力検出計を制御装置や停止スイッチに接続して、圧力検出計の検出値が所定の負圧以上の負圧になったときに、循環ポンプの作動が停止し、電動弁が作動するようにすることもできる。
【００１６】
また、本発明に係る水循環装置における停止装置のさらに他の構成上の特徴は、排水用配管内を通過する水の流量を検出するための流量計を設けたことにある。この場合の水の流量は単位面積当たりの流量であり、これによると、流量計の検出値が所定値以下になったときに、排水口に遊泳者が吸い込まれていることが分かる。これによって、プールの排水口を直接見ることなく排水口に遊泳者が吸い込まれていることを知ることができる。また、この流量計も制御装置や停止スイッチに接続して、流量計の検出値が所定値以下になったときに、循環ポンプの作動が停止し、電動弁が作動するようにすることができる。
【００１７】
また、本発明に係る水循環装置における停止装置のさらに他の構成上の特徴は、圧力検出計の検出値が所定の負圧になったとき、または流量計の検出値が所定値以下になったときに警報を発する警報機を設けたことにある。これによると、警報を聞くことにより、排水口に遊泳者が吸い込まれていることが分かるため、プールの排水口だけでなく、圧力検出計や流量計の検出値を表示する部分を見ることなく排水口に遊泳者が吸い込まれていることを知ることができる。
【００１８】
また、本発明に係る水循環装置における停止装置のさらに他の構成上の特徴は、プールの近傍に、プールを監視するための管理棟を設け、制御装置および停止スイッチを管理棟に設置したことにある。これによると、監視人がプールから離れた管理棟にいても異常を知ることができる。また、このような管理棟には一般の遊泳者は入ることができないため、遊泳者が誤って、制御装置や停止スイッチを操作することがなくなる。なお、圧力検出計や流量計を用いる場合には、この圧力検出計や流量計の指示値も管理棟で確認できるようにすることが好ましい。
【発明を実施するための最良の形態】
【００１９】
以下、本発明の一実施形態を図面を用いて説明する。図１は、本発明に係る水循環装置における停止装置を備えた複数のプールが設置された水泳場１０を示しており、この水泳場１０には、流水プール１１、着水プール１２、スパプール１３、遊泳プール１４、造波プール１５および子供プール１６の６個のプールが備わっている。また、水泳場１０の隅におけるすべてのプールを見渡せる場所には、管理室を備えた管理棟１７が設置されている。流水プール１１は、屈曲しながら環状に延びる水路と環状の水路を横切る水路とからなる細長いプールで構成されている。そして、この流水プール１１には、循環ポンプ２１を備えた複数の水循環装置２０が間隔を保って設置されており、この水循環装置２０の循環ポンプ２１を作動させることにより、矢印方向に水が流れる構成になっている。
【００２０】
図２に示したように、水循環装置２０は、流水プール１１の側壁部に設けられた排水口１１ａから地下を伝わって循環ポンプ２１が設置されたポンプ収納部２２に延びる排水用配管２３と、ポンプ収納部２２から流水プール１１の側壁部における流水の下流側部分に設けられた水供給口１１ｂに延びる水供給用配管２４とを備えている。そして、排水用配管２３の下流端と、水供給用配管２４の上流端とは、循環ポンプ２１を介して連結されている。このため、循環ポンプ２１を作動させると、排水口１１ａから流水プール１１内の水が吸い込まれ、その水は、排水用配管２３および水供給用配管２４を通過して、水供給口１１ｂから流水プール１１内に吐出される。そして、この水の勢いによって流水プール１１に流水が生じる。
【００２１】
また、排水用配管２３におけるポンプ収納部２２内に位置する部分には、流量計２５、本発明の圧力検出計としての負圧検出計２６が設けられている。そして、排水用配管２３における負圧検出計２６が設けられ部分の下流側部分と、水供給用配管２４におけるポンプ収納部２２内に位置する部分との間にバイパス配管２８が設けられ、このバイパス配管２８に電動弁２９が設けられている。また、管理棟１７の管理室には、図３に示した、本発明に係る制御装置を構成する制御盤３１、停止システム制御盤３２および停止スイッチ３３が設置されている。
【００２２】
循環ポンプ２１は、配線（図示せず）を介して制御盤３１に接続されており、制御盤３１が備える各操作スイッチの設定に応じて、作動、停止したり回転速度を変更したりする。また、流量計２５は、配線２５ａを介して停止システム制御盤３２に接続されており、排水用配管２３内を流れる単位面積当りの水の流量を検出して、その検出値を信号として停止システム制御盤３２に送信する。さらに、負圧検出計２６は、配線２６ａを介して停止システム制御盤３２に接続されており、排水用配管２３内の圧力（循環ポンプ２１が作動しているときには負圧になっている。）を検出して、その検出値を信号として停止システム制御盤３２に送信する。
【００２３】
また、流量計２５および負圧検出計２６は、それぞれ警報機（図示せず）に接続されており、流量計２５および負圧検出計２６の検出値が予め設定された設定値に達したときに、警報機が警報を発する。また、電動弁２９は、配線２９ａを介して停止システム制御盤３２に接続されており、停止スイッチ３３が監視員によりオン操作されたときに、停止システム制御盤３２から送信される制御信号に応じて開作動する。
【００２４】
これによって、バイパス配管２８を介して排水用配管２３と水供給用配管２４とが連通する。また、電動弁２９は、流量計２５が検出する流量値や負圧検出計２６が検出する圧力値に異常が生じたときにも、停止システム制御盤３２から送信される制御信号に応じて開作動して、バイパス配管２８を介して排水用配管２３と水供給用配管２４とを連通させる。なお、流量計２５、負圧検出計２６、バイパス配管２８、電動弁２９、停止システム制御盤３２および停止スイッチ３３で本発明の停止装置が構成される。また、制御盤３１と停止システム制御盤３２との間は、配線３１ａ，３１ｂで接続され、停止システム制御盤３２と停止スイッチ３３との間は、配線３２ａで接続されている。
【００２５】
また、ポンプ収納部２２は、地面に設けた凹部の上面開口を着脱可能な蓋で覆って構成されている。このため、蓋を開けることにより、ポンプ収納部２２内に設置された循環ポンプ２１等の各装置の保守点検が行える。また、図示していないが、流水プール１１には、前述した流水を発生させるための水循環装置２０の他に、流水プール１１内の水を、一旦流水プール１１の外部に取り出して濾過装置によって濾過したのちに流水プール１１内に送り返す水循環装置も備えている。この浄水用の水循環装置の構成は、濾過装置を備えていること以外は、前述した水循環装置２０と同様の構成になっているため説明は省略する。
【００２６】
着水プール１２は、略矩形のプール部１２ａ、高さの異なる二つの上部台１２ｂと下部台１２ｃ、上部台１２ｂとプール部１２ａに掛け渡された滑り台１２ｄ、上部台１２ｂと下部台１２ｃに掛け渡された滑り台１２ｅ、下部台１２ｃとプール部１２ａに掛け渡された滑り台１２ｆを備えている。また、この着水プール１２の上部台１２ｂには、プール部１２ａ内の水を上部台１２ｂに吸い上げるための揚水ポンプ３４が設けられており、この揚水ポンプ３４によって、上部台１２ｂに吸い上げられた水は、滑り台１２ｄ，１２ｅの上端部に供給される。
【００２７】
そして、滑り台１２ｄに供給された水はそのまま滑り台１２ｄ上を流れてプール部１２ａ内に入り、滑り台１２ｅに供給された水は滑り台１２ｅ上から下部台１２ｃおよび滑り台１２ｆの上面を通過してプール部１２ａ内に流れていく。また、この着水プール１２のプール部１２ａには、プール部１２ａ内の水を循環させながら濾過する水循環装置が設けられており、この水循環装置は前述した水循環装置２０の所定部分、例えば排水用配管に濾過装置を設けた構成になっている。
【００２８】
スパプール１３は、エアを水中に噴射させて泡を立たせるプールであり、遊泳プール１４は大人が水泳をするためのプールである。このスパプール１３と遊泳プール１４には、水を取り換えるための構造が備わっているが、特に、危険防止のための水循環装置や停止装置は設けられていない。また、造波プール１５は、人工波を発生させるための機構を備えたプールであり、子供プール１６は子供が水遊びするために水深を低く設定したプールである。説明は省略するが、この造波プール１５および子供プール１６にも、水循環装置２０に濾過装置を設けた構成からなる停止装置を備えた水循環装置が備わっている。
【００２９】
この構成において、例えば、流水プール１１において、流水プール１１内に水の流れを発生させる場合には、管理棟１７内の制御盤３１を操作することにより、各作動条件を設定したのちにオン操作する。これによって、循環ポンプ２１は設定した条件に従って作動を開始して、流水プール１１内の水は、排水口１１ａから排水用配管２３内に吸い込まれ水供給用配管２４を通過して、水供給口１１ｂから流水プール１１内に吐出される。その間、流水プール１１には水の流れが生じる。
【００３０】
そして、排水口１１ａに吸い込まれる水の勢いによって、遊泳者が排水口１１ａ側に引き込まれると、排水口１１ａが塞がれてその面積が小さくなるため、排水用配管２３内の面積当りの流量が減少するとともに、排水用配管２３内の圧力が負側に大きくなる。これによって、排水用配管２３内の圧力は、水供給用配管２４内の圧力よりも大幅に減少する。このときの排水用配管２３内の流量の変化を流量計２５が検出するか、または排水用配管２３内の圧力の変化を負圧検出計２６が検出すると、警報機が警報を発するとともに、停止システム制御盤３２の制御により制御盤３１が作動して、循環ポンプ２１の作動を停止させる。
【００３１】
これによって、循環ポンプ２１による流水プール１１内の水の排水口１１ａからの吸い込みが停止する。さらに、停止システム制御盤３２の制御により電動弁２９が作動して、バイパス配管２８の両端間を連通させる。これによって、排水用配管２３は、バイパス配管２８を介して水供給用配管２４に連通する。この場合、循環ポンプ２１の作動が停止したときには、排水用配管２３と水供給用配管２４とは、循環ポンプ２１を挟んで遮断された状態になり、排水用配管２３内の圧力は、水供給用配管２４内の圧力よりも大幅に減少した状態に維持されている。
【００３２】
そして、電動弁２９が開作動して、バイパス配管２８を介して排水用配管２３と水供給用配管２４とが連通したときに、水供給用配管２４内の水が排水用配管２３に流れて排水用配管２３内の負圧が解消される。この循環ポンプ２１の作動停止と、電動弁２９の作動とは略同時に実行されるため、素早く排水用配管２３内の負圧が解消されるようになる。
【００３３】
また、プールサイドで流水プール１１を監視中の監視員が、遊泳者が排水口１１ａ側に引き込まれているのを見たり、警報機の警報を聞いたりした場合には、自動的に停止システム制御盤３２が作動したりする前に、停止スイッチ３３を操作する。これによっても、前述したように、循環ポンプ２１の作動停止と、電動弁２９の作動とが実行される。また、流水プール１１に設けられた濾過装置を備えた浄水用の水循環装置や、他の着水プール１２等に設けられた停止装置を備えた水循環装置も前述したように作動する。
【００３４】
このように、本実施形態に係る水循環装置における停止装置では、排水用配管２３と水供給用配管２４との間に電動弁２９を備えたバイパス配管２８が設けられている。そして、流量計２５が検出する排水用配管２３内の流量や、負圧検出計２６が検出する排水用配管２３内の圧力の値に異常が生じると、停止システム制御盤３２の制御により制御盤３１が作動して、循環ポンプ２１の作動を停止させるとともに、電動弁２９が作動してバイパス配管２８が開くようにしている。また、停止スイッチ３３を手動でオン操作しても同様に循環ポンプ２１の作動が停止し、電動弁２９が作動してバイパス配管２８が開く。
【００３５】
このため、循環ポンプ２１の作動中に、排水口１１ａに遊泳者が吸い込まれそうになった場合には、自動的に、停止システム制御盤３２の制御により、制御盤３１が循環ポンプ２１の作動を停止させるとともに、電動弁２９を作動させてバイパス配管２８を連通させる。また、プールサイドの監視員が遊泳者の異常に気づいたり、警報機の警報を聞いたりした場合には、手動で停止スイッチ３３を操作することにより、素早く循環ポンプ２１の作動を停止させるとともに、電動弁２９を作動させてバイパス配管２８を連通させることができる。
【００３６】
これによって、排水用配管２３内の水の流れを停止させるとともに、排水用配管２３内の負圧の状態を素早く解消することができる。この結果、事故の発生を防止することができるようになる。また、本実施形態では、水泳場１０内における各プールを見渡せる部分に管理棟１７設け、この管理棟１７内に、制御盤３１、停止システム制御盤３２および停止スイッチ３３を設置したため、監視人が各プールから離れた管理棟１７内にいても異常の発生を知ることができる。また、管理棟１７には一般の遊泳者は入ることができないため、遊泳者が誤って、制御盤３１や停止スイッチ３３を誤操作することはない。
【００３７】
図４は、前述した実施形態の変形例による水循環装置における停止装置を備えた遊泳プール１４ａを示している。この遊泳プール１４ａに備わった水循環装置２０ａでは、排水口１４ｂが遊泳プール１４ａの側壁部でなく、底面部に設けられている。この変形例による停止装置を備えた水循環装置２０ａのそれ以外の部分の構成は、前述した実施形態と同一であるため、同一部分に同一符号を記して説明は省略する。なお、図４は、図２および図３よりも簡略化して記載しており、図４には図示していないが図２および図３に示された装置等も含んでいる。また、制御盤３１と循環ポンプ２１との間を、配線３５によって接続していることは、図４には示されている。
【００３８】
また、図５は、本発明の他の実施形態に係る水循環装置における停止装置の要部を示している。この水循環装置における停止装置では、前述した水循環装置２０のバイパス配管２８に代えて、排水用配管２３ａにおける遊泳プール１４ｃの排水口１４ｄ側部分とプールサイドの表面との間に、排水用配管２３ａから上方に延びてプールサイドの表面に開口する開放配管２８ａが設けられている。そして、開放配管２８ａの上部側部分に電動弁２９ｂが設けられ、プールサイドの表面における開放配管２８ａの近傍に電動弁２９ｂを作動させて開放配管２８ａを開けるための停止スイッチ３３ａが設けられている。この停止スイッチ３３ａは着脱可能なカバー部材（図示せず）で覆われており、部外者が容易に操作できないようにしている。この水循環装置のそれ以外の部分の構成は、前述した水循環装置２０と同一である。
【００３９】
このように構成したため、循環ポンプの作動中に、遊泳プール１４ｃの排水口１４ｄに遊泳者Ａが吸い込まれそうになった場合には、流量計の検出や負圧検出計の検出値によって、または停止スイッチ３３ａを手動でオン操作することによって、停止システム制御盤の制御により制御盤が作動して、循環ポンプの作動を停止させるとともに、電動弁２９ｂが作動して開放配管２８ａが開く。これによって、循環ポンプの作動による水の流れが停止するとともに、排水用配管２３ａ内の水が大気中に放出され、排水用配管２３ａ内の負圧状態が素早く解消される。これによって、事故の発生を防止することができる。この水循環装置における停止装置のそれ以外の作用効果については、前述した水循環装置２０と同様である。
【００４０】
また、本発明に係る水循環装置における停止装置は、前述した実施形態以外についても技術的範囲内で適宜変更実施が可能である。例えば、前述した実施形態では、排水用配管２３等に、流量計２５と負圧検出計２６の二つの検出装置を設けているが、この検出装置は一方だけを設けてもよいし、双方を設けず、停止スイッチ３３等による手動の操作だけで、危険防止を図るようにしてもよい。また、前述した実施形態では、流量計２５や負圧検出計２６の検出値が所定値になったときに、自動的に、停止システム制御盤３２が作動するようにしているが、このようなときに、警報機による警報を発するだけにしてもよい。この場合には、警報を聞いた監視員が停止スイッチ３３等を手動で操作する。
【００４１】
さらに、図５に示した実施形態では、停止スイッチ３３ａを、プールサイドの表面における開放配管２８ａの近傍に設けているが、この停止スイッチ３３ａは管理棟内に設けてもよい。また、図３に示した停止スイッチ３３をプールサイドに設けることもできる。さらに、水循環装置における停止装置のそれ以外の各部分の構成等についても本発明の技術的範囲内で適宜変更して実施することができる。
【図面の簡単な説明】
【００４２】
【図１】本発明の一実施形態に係る水循環装置における停止装置を備えた複数のプールが設置された水泳場を示した平面図である。
【図２】水循環装置を示した平面図である。
【図３】水循環装置が備える停止装置を示した概略構成図である。
【図４】変形例に係る水循環装置を示した概略構成図である。
【図５】他の実施形態に係る水循環装置における停止装置の要部を示した断面図である。
【符号の説明】
【００４３】
１１…流水プール、１１ａ，１４ｂ，１４ｄ…排水口、１１ｂ…水供給口、１２…着水プール、１４，１４ａ，１４ｂ…遊泳プール、１５…造波プール、１６…子供プール、１７…管理棟、２０，２０ａ…水循環装置、２１…循環ポンプ、２３，２３ａ…排水用配管、２４…水供給用配管、２５…流量計、２６…負圧検出計、２８…バイパス配管、２９，２９ｂ…電動弁、３１…制御盤、３２…停止システム制御盤、３３，３３ａ…停止スイッチ。
【図１】
2008121362.tif 000003
【図２】
2008121362.tif 000004
【図３】
2008121362.tif 000005
【図４】
2008121362.tif 000006
【図５】
2008121362.tif 000007